(57)【要約】【課題】本発明は、寝床内の温度を速やかに上昇させ、また、暖かい状態を長く保つことができ、更に、寝床内の湿度を一定に保って、寝床内の環境を短時間で快適にすることのできる布団を提供することを目的とする。【解決手段】本発明に係る布団は、吸湿発熱繊維３による綿層で吸湿した水分を速やかに発散することができる極細繊維７による綿層と、皮膚からの熱を効率的に蓄熱して、寝床内環境の温度を従来よりも早く上昇させることができ、かつ、従来よりも長く暖かい状態に保つことができる蓄熱保温繊維５と、皮膚からの発汗による水分を速やかに吸湿することができ、かつ、この吸湿時に発生する熱により寝床内環境の温度を従来よりも早く上昇させることができる吸湿発熱繊維３による綿層を備えている。【選択図】図１
2014200464.tif 000002
【特許請求の範囲】
【請求項１】
極細繊維による綿層と、吸湿発熱繊維による綿層を備えている事を特徴とする布団。
【請求項２】
極細繊維による綿層と、蓄熱保温繊維による綿層を備えている事を特徴とする布団。
【請求項３】
蓄熱保温繊維による綿層と、吸湿発熱繊維による綿層を備えている事を特徴とする布団。
【請求項４】
極細繊維による綿層と、蓄熱保温繊維による綿層と、吸湿発熱繊維による綿層を備えている事を特徴とする布団。
【請求項５】
布団を使用する者の体側から外側に向けて、吸湿発熱繊維による綿層と、蓄熱保温繊維による綿層と、極細繊維による綿層が、積層状に配置されている事を特徴とする布団。
【請求項６】
極細繊維による綿層は、ナイロンやポリエステルからなるマイクロファイバーにより形成されている請求項１、請求項２又は４のいずれかに記載の布団。
【発明の詳細な説明】
【技術分野】
【０００１】
本発明は、寝床内の温度を速やかに上昇させ、また、暖かい状態を長く保つことができ、更に、寝床内の湿度を一定に保って、寝床内の環境を短時間で快適にすることのできる布団に関するものである。
【背景技術】
【０００２】
寝ているときの布団の中の環境（寝床内の環境）を快適にすることは、使用者の快眠のために非常に重要である。
【０００３】
具体的に、使用者の快眠のためには、寝ているときの掛け布団と敷き布団の間の空間内において、温度と湿度を一定に保つ必要がある。
【０００４】
そして、従来においては、掛け布団と敷き布団により、寝床内の静止空気層を多く含ませることで、保温性を高めるという方法が採用されている。例えば、羽毛等を使用し、使用者の首・肩周りと、羽毛掛け布団、敷き布団との間に隙間が開いてしまう事態を防ぐ形状を採用した布団が提案されている（特許文献１）。
【先行技術文献】
【特許文献】
【０００５】
【特許文献１】特開２０１３−００９７２３号公報
【発明の概要】
【発明が解決しようとする課題】
【０００６】
しかし、敷き布団との間に隙間が開いてしまう事態を防ぐ形状を採用した布団を使用したとしても、就床後における寝床内の温度と湿度は、人の体温と皮膚からの発汗によって次第に上昇していくことから、布団が温まって、寝床内の環境が快適になるまでに、ある程度の時間がかかるという問題があった。
【０００７】
そこで、本発明は、寝床内の温度を速やかに上昇させ、また、暖かい状態を長く保つことができ、更に、寝床内の湿度を一定に保って、寝床内の環境を短時間で快適にすることのできる布団を提供するものである。
【課題を解決するための手段】
【０００８】
上記課題を解決するために、請求項１に記載の布団に係る発明は、例えば、図１，図２，図４に示すように、極細繊維による綿層と、吸湿発熱繊維による綿層を備えている事を特徴とする。
【０００９】
請求項１に記載の布団に係る発明によれば、吸湿発熱繊維による綿層を備えているので、使用者の皮膚からの発汗による水分を速やかに吸湿することができ、かつ、この吸湿時に発生する熱により、寝床内の温度を従来よりも早く上昇させることができる。
【００１０】
また、極細繊維による綿層を備えているので、吸湿発熱繊維による綿層で吸湿した水分を速やかに発散して、寝床内の湿度を一定に保つことができる。
【００１１】
請求項２に記載の布団に係る発明は、例えば、図１，図２，図４に示すように、極細繊維による綿層と、蓄熱保温繊維による綿層を備えている事を特徴とする。
【００１２】
請求項２に記載の布団に係る発明は、蓄熱保温繊維による綿層を備えているので、使用者の皮膚からの熱を効率的に蓄熱して、寝床内の温度を従来よりも早く上昇させることができ、かつ、従来よりも長い時間、暖かい状態を保つことができる。
【００１３】
また、極細繊維による綿層を備えているので、蓄熱保温繊維による綿層で吸湿した水分を速やかに発散して、寝床内の湿度を一定に保つことができる。
【００１４】
請求項３に記載の布団に係る発明は、例えば、図１，図２，図４に示すように、蓄熱保温繊維による綿層と、吸湿発熱繊維による綿層を備えている事を特徴とする。
【００１５】
請求項３に記載の布団に係る発明によれば、吸湿発熱繊維による綿層を備えているので、使用者の皮膚からの発汗による水分を速やかに吸湿することができ、かつ、この吸湿時に発生する熱により、寝床内の温度を従来よりも早く上昇させることができる。
【００１６】
また、蓄熱保温繊維による綿層を備えているので、吸湿発熱繊維が発生する熱を効率的に蓄熱して、従来よりも長い時間、寝床内の暖かい状態を保つことができる。
【００１７】
請求項４に記載の布団に係る発明は、例えば、図１，図２，図４に示すように、極細繊維による綿層と、蓄熱保温繊維による綿層と、吸湿発熱繊維による綿層を備えている事を特徴とする。
【００１８】
請求項４に記載の布団に係る発明は、吸湿発熱繊維による綿層を備えているので、皮膚からの発汗による水分を速やかに吸湿することができ、かつ、この吸湿時に発生する熱により、寝床内の温度を従来よりも早く上昇させることができる。
【００１９】
また、蓄熱保温繊維による綿層を備えているので、吸湿発熱繊維が発生する熱を効率的に蓄熱して、従来よりも長い時間、寝床内の暖かい状態を保つことができる。更に、極細繊維による綿層を備えているので、蓄熱保温繊維による綿層や吸湿発熱繊維による綿層で吸湿した水分を速やかに発散して、寝床内の湿度を一定に保つことができる。
【００２０】
請求項５に記載の布団に係る発明は、例えば、図１乃至図４に示すように、布団を使用する者の体側から外側に向けて、吸湿発熱繊維による綿層と、蓄熱保温繊維による綿層と、極細繊維による綿層が、積層状に配置されている事を特徴とする。
【００２１】
請求項５に記載の布団に係る発明によれば、吸湿発熱繊維による綿層を備えているので、使用者の皮膚からの発汗による水分を速やかに吸湿することができ、かつ、この吸湿時に発生する熱により、寝床内の温度を従来よりも早く上昇させることができる。
【００２２】
また、蓄熱保温繊維による綿層を備えているので、吸湿発熱繊維が発生する熱を効率的に蓄熱して、従来よりも長い時間、寝床内の暖かい状態を保つことができる。更に、極細繊維による綿層を備えているので、蓄熱保温繊維による綿層で吸湿した水分を速やかに発散して、寝床内の湿度を一定に保つことができる。
【００２３】
請求項６に記載の布団に係る発明は、例えば、図１，図２，図４に示すように、極細繊維による綿層は、ナイロンやポリエステルからなるマイクロファイバーにより形成されている事を特徴とする。
【００２４】
請求項６に記載の布団に係る発明によれば、ナイロンの柔らかさ、弾力性、並びにストレッチ性、ポリエステルの形態安定性を生かしつつ、吸湿発熱繊維による綿層や蓄熱保温繊維による綿層で吸湿した水分を速やかに発散して、寝床内の湿度を一定に保つことができる。
【発明の効果】
【００２５】
本発明によれば、寝床内の温度を速やかに上昇させ、また、暖かい状態を長く保つことができ、更に、寝床内の湿度を一定に保って、寝床内の環境を短時間で快適にすることのできる布団を提供することができる。
【図面の簡単な説明】
【００２６】
【図１】本発明に係る布団の一例を示す断面斜視図である。
【図２】図１のＩ−Ｉ断面図である。
【図３】本発明に係る布団の使用例を示す側面図である。
【図４】図１のＡ部の一部を切り欠いた拡大図である。
【発明を実施するための形態】
【００２７】
以下に、図面を参照して、本発明の実施の形態を説明する。
【００２８】
＜実施の形態＞
図１乃至図４は、本発明に係る布団の一実施の形態を示している。
【００２９】
本発明に係る布団１は、図１・図２に示すように、吸湿発熱繊維３による綿層と、蓄熱保温繊維５による綿層と、極細繊維７による綿層が、積層状に配置されて構成されている。
【００３０】
また、吸湿発熱繊維３による綿層と、蓄熱保温繊維５による綿層と、極細繊維７による綿層は、布団１の表地９と裏地１１に挟まれるようにして、表地９と裏地１１内に収容されている。
【００３１】
更に、図２・図３に示すように、布団１を使用する者の体側から外側に向けて、吸湿発熱繊維３による綿層と、蓄熱保温繊維５による綿層と、極細繊維７による綿層が、積層状に配置されている。
【００３２】
本実施の形態では、図３に示すように、敷き布団３０の上に使用者が横になった状態で、使用者に掛ける布団１を一例にして、以下の説明を行う。
【００３３】
本発明に係る布団１は、図２・図４に示すように、下部層１３と上部層１５とを備えている。そして、下部層１３に吸湿発熱繊維３による綿層と蓄熱保温繊維５による綿層を配置し、上部層１５に極細繊維７による綿層を配置している。
【００３４】
布団１の下部層１３は、図２・図４に示すように、ポリエステル素材等からなる裏地１１と、この裏地１１の上方に設けられたポリエステル素材等からなる水平方向仕切り地１７により、所定の空間を設けるように形成されている。
【００３５】
そして、この空間内に、シート状の吸湿発熱繊維３による綿層と、シート状の蓄熱保温繊維５による綿層が、上下に積層状に配置されている。また、裏地１１の周端部１９と水平方向仕切り地１７の周端部１９は、断面コ字型の縁地２１で覆われて縫合されている。
【００３６】
吸湿発熱繊維３による綿層は、東邦テキスタイル社製のサンバーナー（登録商標）により形成されている。サンバーナー（登録商標）は、消臭性、吸水性、制電性等を備えた多機能快適素材である。
【００３７】
サンバーナー（登録商標）は、アンモニア等に対する消臭効果も兼ね備えているので、寝床内を清潔にし、使用者に快適な環境を提供できる。また、コットンよりも吸水性に優れているので、汗等を素早く吸収し、べとつかず、サラッとしており、使用者により快適な環境を提供できる。また、冬場に起こり易い静電気の発生も防ぐため、使用者に不快感を与える恐れも少ない。
【００３８】
蓄熱保温繊維５による綿層は、住友スリーエム社製のシンサレート（登録商標）により形成されている。シンサレート（登録商標）は、薄くて、暖かい素材であり、このシンサレート（登録商標）により、長い時間に渡り暖かい状態を維持することができる布団１を提供することができる。また、布団１の軽量化も実現している。
【００３９】
布団１の上部層１５は、ポリエステル素材等からなる表地９と、この表地９の下方に設けられた水平方向仕切り地１７との間に、複数の仕切り室２３を碁盤目状に配置して形成されている。そして、各仕切り室２３に、所定量の極細繊維７が収容されている。表地９の周端部１９と水平方向仕切り地１７の周端部１９とは、断面コ字型の縁地２１で覆われて縫合されている。極細繊維７は、ナイロンとポリエステルの混合材である。
【００４０】
前記仕切り室２３は、表地９と水平方向仕切り地１７とを上下に連結している互いに平行な複数の縦方向仕切り地２５により形成されている。これにより、極細繊維７による綿層の位置ずれを防止できる。
【００４１】
＜変形例１＞
上記実施の形態においては、吸湿発熱繊維３による綿層と、蓄熱保温繊維５による綿層と、極細繊維７による綿層が積層状に配置されて構成されている布団１について説明した。しかし、これに限られず、極細繊維７による綿層と吸湿発熱繊維３による綿層とが積層状に配置されて構成されている布団であっても良い。
【００４２】
蓄熱保温繊維５による綿層を備えなくても、吸湿発熱繊維３による綿層を備えているので、使用者の皮膚からの発汗による水分を速やかに吸湿することができ、かつ、この吸湿時に発生する熱により、寝床内の温度を従来よりも早く上昇させることができる。
【００４３】
＜変形例２＞
上記実施の形態においては、吸湿発熱繊維３による綿層と、蓄熱保温繊維５による綿層と、極細繊維７による綿層が積層状に配置されて構成されている布団１について説明した。しかし、これに限られず、極細繊維７による綿層と、蓄熱保温繊維５による綿層とが、積層状に配置されて構成されている布団であってもよい。
【００４４】
吸湿発熱繊維３を備えなくても、蓄熱保温繊維５による綿層を備えているので、使用者の皮膚からの熱を効率的に蓄熱して、寝床内の温度を従来よりも早く上昇させることができ、かつ、従来よりも長い時間に渡り暖かい状態を保つことができる。
【００４５】
＜変形例３＞
上記実施の形態においては、吸湿発熱繊維３による綿層と、蓄熱保温繊維５による綿層と、極細繊維７による綿層が積層状に配置されて構成されている布団１について説明した。しかし、これに限られず、蓄熱保温繊維５による綿層と、吸湿発熱繊維３による綿層を備えている布団であっても良い。
【００４６】
極細繊維７による綿層を備えなくても、吸湿発熱繊維３による綿層を備えているので、使用者の皮膚からの発汗による水分を速やかに吸湿することができ、かつ、この吸湿時に発生する熱により、寝床内の温度を従来よりも早く上昇させることができる。
【００４７】
＜変形例４＞
上記実施の形態においては、布団１を使用する者の体側から外側に向けて、吸湿発熱繊維３による綿層と、蓄熱保温繊維５による綿層と、極細繊維７による綿層が積層状に配置されて構成されている布団１について説明した。
【００４８】
しかし、これに限られず、布団を使用する者の体側から外側に向けて、蓄熱保温繊維５による綿層と、吸湿発熱繊維３による綿層と、極細繊維７による綿層が、積層状に配置されていても良い。
【００４９】
蓄熱保温繊維５による綿層と吸湿発熱繊維３による綿層とを入れ替えて、吸湿発熱繊維３による綿層を使用者から離して発熱量を減少させることにより、発汗量の多い使用者に、快適な寝床内の環境を提供することができる。
【００５０】
＜変形例５＞
上記実施の形態においては、極細繊維７による綿層が、ナイロンとポリエステルの混合材である場合について説明した。しかし、これに限られず、極細繊維７による綿層は、ナイロン単独やポリエステル単独であっても良い。
【００５１】
ナイロン単独の場合、柔らかさ、弾力性、並びにストレッチ性を有する布団１を提供することができる。また、ポリエステル単独の場合、形態安定性を有する布団１を提供することができる。
【００５２】
この他、本発明は上述した実施形態に限定されるものではなく、種々の変形・応用が可能である。例えば、吸湿発熱繊維３による綿層、蓄熱保温繊維５による綿層、極細繊維７による綿層等を備えた敷布団（３０）として活用することも可能である。
【符号の説明】
【００５３】
１      布団
３      吸湿発熱繊維
５      蓄熱保温繊維
７      極細繊維
９      表地
１１      裏地
１３      下部層
１５      上部層
１７      水平方向仕切り地
１９      周端部
２１      縁地
２３      仕切り室
２５      縦方向仕切り地
３０      敷き布団
【図１】
2014200464.tif 000003
【図２】
2014200464.tif 000004
【図３】
2014200464.tif 000005
【図４】
2014200464.tif 000006